(57)【要約】      （修正有）【課題】  本発明は、リングネットワーク間で光トラヒックを通信するためのシステムと方法を提供し、以前の光通信システムと方法に関する不都合と課題のうちの少なくともいくつかを実質的に除去し、又は軽減する。【解決手段】  リングネットワーク間で光トラヒックを通信するためのシステムは、第１の光リングネットワークと第２の光リングネットワークとを有する。それぞれの光リングネットワークは、複数の波長からなる光トラヒックを通信するように動作可能である。前記システムは、第１のリング相互接続（RIC）ノードと第２のRICノードとを有し、各RICノードは前記第１と第２の光リングネットワークに結合される。前記第２のRICノードは、前記第１のRICノードが前記第１と第２の光リングネットワークの間で光トラヒックを通信できないときに、前記第１と第２の光リングネットワークの間で光トラヒックを通信するように動作可能である。【選択図】  図１
2005051774.tif 000002
【特許請求の範囲】
【請求項１】
リングネットワーク間で光トラヒックを通信するためのシステムであって、
それぞれの光リングネットワークが複数の波長からなる光トラヒックを通信するように動作可能である第１の光リングネットワークと第２の光リングネットワークと、
それぞれのリング相互接続（RIC）ノードが前記第１と第２の光リングネットワークに結合された第１のRICノードと第２のRICノードと
を有し、
前記第１のRICノードが、前記第１と第２の光リングネットワークの間で光トラヒックを通信するように動作可能であり、
前記第１のRICノードが前記第１と第２の光リングネットワークの間で光トラヒックを通信できないときに、前記第２のRICノードが前記第１と第２の光リングネットワークの間で光トラヒックを通信するように動作可能であるシステム。
【請求項２】
請求項１に記載のシステムであって、
前記第２のRICノードが、前記第１のRICノードが前記第１と第２の光リングネットワークの間で光トラヒックを通信できないときを判断するように動作可能であるシステム。
【請求項３】
請求項１に記載のシステムであって、
前記第１のRICノードが、
前記第１の光リングネットワークから光トラヒックを受信し、
前記第１の光リング方向に前記光トラヒックの第１のコピーを受動的に通過し、
前記光トラヒックの第２のコピーをドロップし、
前記ドロップされた光トラヒックの１つ以上の波長を選択し、
前記１つ以上の波長を前記第２の光リングネットワークに通信する
ように動作可能であるシステム。
【請求項４】
請求項３に記載のシステムであって、
前記第２のRICノードが、
前記第１のRICノードが前記第１と第２の光リングネットワークの間で光トラヒックを通信できないときを判断し、
前記第１のRICノードから前記光トラヒックの前記第１のコピーを受信し、
前記第１の光リング方向に前記光トラヒックの第３のコピーを受動的に通過し、
前記光トラヒックの第４のコピーをドロップし、
前記ドロップされた光トラヒックの１つ以上の波長を選択し、
前記第１のRICノードが前記第１と第２の光リングネットワークの間で光トラヒックを通信できないときに、前記１つ以上の波長を前記第２の光リングネットワークに通信する
ように動作可能であるシステム。
【請求項５】
請求項１に記載のシステムであって、
前記第１と第２のRICノードがそれぞれ、前記第１と第２の光リングネットワークの間で通信するために、光トラヒックの１つ以上の波長を選択するように動作可能な波長選択ユニットを有するシステム。
【請求項６】
請求項５に記載のシステムであって、
少なくとも１つの波長選択ユニットが、前記第１と第２の光リングネットワークの間で通信するために、光トラヒックの第１の数の波長を通過するための第１の数のチューナブル・フィルタからなるチューナブル・フィルタ列を有するシステム。
【請求項７】
請求項５に記載のシステムであって、
少なくとも１つの波長選択ユニットが、前記第１と第２の光リングネットワークの間で通信するために、光トラヒックの第２の数の波長を選択的に転送するための第２の数のスイッチを有するシステム。
【請求項８】
請求項１に記載のシステムであって、
前記第１のRICノードが前記第１のRICノードの故障により通信を実行することができないときに、前記第２のRICノードが前記第１と第２の光リングネットワークの間で光トラヒックを通信するように動作可能であるシステム。
【請求項９】
請求項１に記載のシステムであって、
前記第１のRICノードが前記第１の光リングネットワークのファイバ切断により通信を実行することができないときに、前記第２のRICノードが前記第１と第２の光リングネットワークの間で光トラヒックを通信するように動作可能であるシステム。
【請求項１０】
請求項１に記載のシステムであって、
前記第２のRICノードが、１つ以上の波長のトラヒックを検出し、前記第１のRICノードが前記第１と第２の光リングネットワークの間で光トラヒックを通信することができないときを判断するように動作可能である拒絶ブロックを有するシステム。
【請求項１１】
リングネットワーク間で光トラヒックを通信するための方法であって、
第１の光リングと第２の光リングを通じて複数の波長からなる光トラヒックを通信するステップと、
第１のリング相互接続（RIC）ノードにて前記第１と第２の光リングネットワークの間で光トラヒックを通信するステップと、
前記第１のRICノードが前記第１と第２の光リングネットワークの間で光トラヒックを通信できないときに、第２のRICノードにて前記第１と第２の光リングネットワークの間で光トラヒックを通信するステップと
を有する方法。
【請求項１２】
請求項１１に記載の方法であって、
前記第１のRICノードが前記第１と第２の光リングネットワークの間で光トラヒックを通信できないときを判断するステップを更に有する方法。
【請求項１３】
請求項１１に記載の方法であって、
前記第１のRICノードで前記第１の光リングネットワークから光トラヒックを受信するステップと、
前記第１の光リング方向に前記第１のRICノードで前記光トラヒックの第１のコピーを受動的に通過するステップと、
前記第１のRICノードで前記光トラヒックの第２のコピーをドロップするステップと、
前記第１のRICノードで前記ドロップされた光トラヒックの１つ以上の波長を選択するステップと、
前記第１のRICノードで前記１つ以上の波長を前記第２の光リングネットワークに通信するステップと
を更に有する方法。
【請求項１４】
請求項１３に記載の方法であって、
前記第１のRICノードが前記第２のRICノードにて前記第１と第２の光リングネットワークの間で光トラヒックを通信できないときを判断するステップと、
前記第２のRICノードで前記第１のRICノードから前記光トラヒックの前記第１のコピーを受信するステップと、
前記第１の光リング方向に前記第２のRICノードで前記光トラヒックの第３のコピーを受動的に通過するステップと、
前記第２のRICノードで前記光トラヒックの第４のコピーをドロップするステップと、
前記第２のRICノードで前記ドロップされた光トラヒックの１つ以上の波長を選択するステップと、
前記第１のRICノードが前記第１と第２の光リングネットワークの間で光トラヒックを通信できないときに、前記第２のRICノードで前記１つ以上の波長を前記第２の光リングネットワークに通信するステップと
を更に有する方法。
【請求項１５】
請求項１１に記載の方法であって、
前記第１のRICノードの波長選択ユニットにて前記第１と第２の光リングネットワークの間で通信するために、光トラヒックの１つ以上の波長を選択するステップを更に有する方法。
【請求項１６】
請求項１５に記載の方法であって、
前記波長選択ユニットのチューナブル・フィルタ列にて前記第１と第２の光リングネットワークの間で通信するために、光トラヒックの第１の数の波長をフィルタリングするステップを更に有する方法。
【請求項１７】
請求項１５に記載の方法であって、
前記波長選択ユニットの第２の数のスイッチにて前記第１と第２の光リングネットワークの間で通信するために、光トラヒックの第２の数の波長を選択的に転送するステップを更に有する方法。
【請求項１８】
請求項１１に記載の方法であって、
前記第１のRICノードが前記第１と第２の光リングネットワークの間で光トラヒックを通信できないときに、第２のRICノードにて前記第１と第２の光リングネットワークの間で光トラヒックを通信することが、前記第１のRICノードが前記第１のRICノードの故障により通信を実行することができないときに、第２のRICノードにて前記第１と第２の光リングネットワークの間で光トラヒックを通信することからなる方法。
【請求項１９】
請求項１１に記載の方法であって、
前記第１のRICノードが前記第１と第２の光リングネットワークの間で光トラヒックを通信できないときに、第２のRICノードにて前記第１と第２の光リングネットワークの間で光トラヒックを通信することが、前記第１のRICノードが前記第１の光リングネットワークのファイバ切断により通信を実行することができないときに、第２のRICノードにて前記第１と第２の光リングネットワークの間で光トラヒックを通信することからなる方法。
【請求項２０】
請求項１１に記載の方法であって、
拒絶ブロックで１つ以上の波長のトラヒックを検出し、前記第１のRICノードが前記第１と第２の光リングネットワークの間で光トラヒックを通信することができないときを判断するステップを更に有する方法。
【発明の詳細な説明】
【技術分野】
【０００１】
本発明は、概して光通信の分野に関するものであり、特にリングネットワーク間で光トラヒックを通信するためのシステムと方法に関するものである。
【背景技術】
【０００２】
通信システムとケーブルテレビシステムとデータ通信ネットワークは、遠隔地点との間で大量の情報を伝達するために光ネットワークを使用する。光ネットワークにおいて、情報は光ファイバを通じて光信号の形式で伝達される。光ファイバは、非常に少ない損失で長距離に渡って信号を伝達可能な細いガラス繊維からなる。
【０００３】
光ネットワークは、多くの場合、伝送容量を増加させるために波長多重分割方式（WDM）又は高密度波長多重分割方式（DWDM）を使用する。WDM及びDWDMネットワークにおいて、複数の光チャネルが異なる波長で各ファイバの中を伝達される。ネットワーク容量は各ファイバの波長又はチャネルの数と、チャネルの帯域又は大きさに基づく。
【０００４】
WDM及びDWDMネットワークが構成されたトポロジーは、そのネットワークが利用される範囲を決める際に重要な役割を果たす。リングトポロジーは、今日のネットワークで一般的である。WDMのadd/dropユニットは、そのような光リングの周辺のネットワーク要素として機能する。各ネットワークエレメント（ノード）でWDMのadd/drop装置を使用することにより、全体の合成信号がその構成チャネルに完全に逆多重化され、切り替えられ得る（add/dropされ、又は通過される）。そのadd/drop装置は、add/drop装置に関連付けられた１つ以上のクライアントに光リングからトラヒックをドロップするために使用され得る。更に、add/drop装置は、１つの光リングから他の光リングにトラヒックを通信するために使用され得る。１つの光リングから他のものに光トラヒックを通信する現在の方法は、固定のチャネル間隔で多重化と逆多重化を利用し、それはその通信の柔軟性を制限する。
【発明の開示】
【発明が解決しようとする課題】
【０００５】
本発明は、リングネットワーク間で光トラヒックを通信するためのシステムと方法を提供し、以前の光通信システムと方法に関する不都合と課題のうちの少なくともいくつかを実質的に除去し、又は軽減する。
【課題を解決するための手段】
【０００６】
本発明の特定の実施例によると、リングネットワーク間で光トラヒックを通信するためのシステムは、第１の光リングネットワークと第２の光リングネットワークとを有する。それぞれの光リングネットワークは、複数の波長からなる光トラヒックを通信するように動作可能である。前記システムは、第１のリング相互接続（RIC）ノードと第２のRICノードとを有し、各RICノードは前記第１と第２の光リングネットワークに結合される。前記第１のRICノードは、前記第１と第２の光リングネットワークの間で光トラヒックを通信するように動作可能であり、前記第２のRICノードは、前記第１のRICノードが前記第１と第２の光リングネットワークの間で光トラヒックを通信できないときに、前記第１と第２の光リングネットワークの間で光トラヒックを通信するように動作可能である。
【０００７】
前記第２のRICノードは、前記第１のRICノードが前記第１と第２の光リングネットワークの間で光トラヒックを通信できないときを判断するように動作可能であることがある。前記第１のRICノードは、前記第１の光リングネットワークから光トラヒックを受信し、前記第１の光リング方向に前記光トラヒックの第１のコピーを受動的に通過するように動作可能であることがある。前記第１のRICノードはまた、前記光トラヒックの第２のコピーをドロップし、前記ドロップされた光トラヒックの１つ以上の波長を選択し、前記１つ以上の波長を前記第２の光リングネットワークに通信するように動作可能であることがある。前記第２のRICノードは、前記第１のRICノードが前記第１と第２の光リングネットワークの間で光トラヒックを通信できないときを判断し、前記第１のRICノードから前記光トラヒックの第１のコピーを受信し、前記第１の光リング方向に前記光トラヒックの第３のコピーを受動的に通過するように動作可能であることがある。前記第２のRICノードはまた、前記光トラヒックの第４のコピーをドロップし、前記ドロップされた光トラヒックの１つ以上の波長を選択し、前記第１のRICノードが前記第１と第２の光リングネットワークの間で光トラヒックを通信できないときに、前記前記１つ以上の波長を前記第２の光リングネットワークに通信するように動作可能であることがある。
【０００８】
他の実施例によると、リングネットワーク間で光トラヒックを通信するための方法は、第１の光リングと第２の光リングを通じて複数の波長からなる光トラヒックを通信することと、第１のRICノードにて前記第１と第２の光リングネットワークの間で光トラヒックを通信することを有する。前記方法はまた、前記第１のRICノードが前記第１と第２の光リングネットワークの間で光トラヒックを通信できないときに、第２のRICノードにて前記第１と第２の光リングネットワークの間で光トラヒックを通信することを有する。
【発明の効果】
【０００９】
本発明の特定の実施例の技術的な利点には、ドロップ及び継続のプロテクション、柔軟な相互接続の容量、及びリングネットワーク間のチャネル間隔の柔軟性を提供する、リングネットワーク間の光トラヒックを通信するためのシステム及び方法が含まれる。前記機能は、構成コストと動作コストを低減し、ネットワーク効率を高める。
【００１０】
本発明の特定の実施例の他の技術的な利点には、出力損失、ファイバ切断、又は他のエラーの際にプロテクションを提供するように構成されたリング相互接続ノードが含まれる。従って、構成要素のネットワークの停止時間又は他の故障が減少するため、システム動作及び効率が改善される。
【００１１】
他の技術的な利点は、ここに含まれる図面と詳細な説明と特許請求の範囲から当業者に容易に明らかになる。更に、特定の利点が前記に列挙されたが、多様な実施例は列挙された利点のうちの全て又はいくつかを含むことがあり、それを含まないこともある。
【発明を実施するための最良の形態】
【００１２】
図１は、本発明の１つの実施例によるシステム10を示したブロック図である。この実施例によると、システム10は光リングネットワーク12と14を有する。光リングネットワークは、必要に応じて、単一の単方向性ファイバ、単一の双方向性ファイバ、又は複数の単方向性若しくは双方向性ファイバを有することがある。図示された実施例において、光リングネットワーク12と14はそれぞれ、それぞれ反対方向にトラヒックを運ぶ一対の単方向性ファイバを有する。特に、光リングネットワーク12は、第１のファイバ又はリング13と、第２のファイバ又はリング15とを有する。光リングネットワーク14は、第１のファイバ又はリング17と第２のファイバ又はリング19とを有する。リング13と15は、複数のadd/dropノード（ADN）18と、リング相互接続（RIC）ノード22とを接続し、リング17と19は、複数のADN20とRICノード22とを接続する。システム10は、異なる波長／チャネルの共通のパス上で複数の光チャネルが運ばれる光ネットワークシステムである。システム10の光ネットワークは、波長分割多重方式（WDM）、高密度波長分割多重方式（DWDM）、その他の適切な複数チャネルのネットワークであることがある。システム10の光ネットワークは、近距離メトロポリタンネットワーク、長距離都市間ネットワーク、その他の適切なネットワーク又はネットワークの組み合わせとして使用されることがある。
【００１３】
光情報信号は、光リングネットワーク12のリング13と15で異なる方向に伝送され、光リングネットワーク14のリング17と19で異なる方向に伝送される。光信号は、音声、映像、テキスト、リアルタイム、非リアルタイム及び／又は他の適切なデータをエンコードするように変調された少なくとも１つの特徴を有する。変調は位相変位変調方式（PSK）、輝度変調（IM）及び他の適切な方法に基づくことがある。
【００１４】
図示された実施例において、リング13と17はトラヒックが時計回り方向に伝送される時計回り方向のリングである。リング15と19はトラヒックが反時計周り方向に伝送される反時計回り方向のリングである。ADN18はそれぞれ、リング13と15にトラヒックを受動的に追加し、それからドロップするように動作可能であり、ADN20はそれぞれ、リング17と19にトラヒックを受動的に追加し、それからドロップするように動作可能である。特に、各ADN18は、ローカルのクライアントからトラヒックを受信し、そのトラヒックをリング13と15に追加する。同時に、各ADN18はリング13と15からトラヒックを受信し、ローカルのクライアントに向かうトラヒックをドロップする。各ADN20は、リング17と19にトラヒックを追加し、それからドロップすることに関して同じように動作する。この詳細な説明と特許請求の範囲を通じて使用される通り、“各”又は“それぞれ”という語は、特定されたアイテムの少なくとも１つのサブセットのうちのそれぞれの１つを意味する。
【００１５】
RICノード22はそれぞれ、光リングネットワーク12と14にトラヒックを追加し、それからドロップするように動作可能である。一例として、各RICノード22は光リングネットワーク12のリング13からトラヒックをドロップし、そのトラヒックを光リングネットワーク14のリング17に追加することがあり、その逆も同様である。各RICノード22はまた、光リングネットワーク12のリング15からトラヒックをドロップし、そのトラヒックを光リングネットワーク14のリング19に追加することがあり、その逆も同様である。RICノード22を通じた前記のトラヒックの追加とドロップは、受動的又は能動的に達成されることがある。この文脈における“受動的”は、出力、電気及び／又は可動部なしにチャネルの追加又はドロップをすることを意味する。従って、能動的な装置は作業を行うために出力、電気又は可動部を使用する。本発明の特定の実施例において、トラヒックは、転送リング及び／又はリングの信号の分割部で、多重化／逆多重化をすることなく分割／結合によりリングに受動的に追加され、及び／又はそれからドロップされることがある。
【００１６】
２つのRICノード22の使用は、１つのRICノード22の機能にエラーが存在する際にシステム10にプロテクションを提供し、１つの光リングネットワークから他のものにトラヒックを効率的に通信する。例えば、動作中に、１つのRICノード22はプライマリのRICノードとして機能することがあり、光リングネットワーク12と14の間でトラヒックを追加又はドロップすることがあり、その一方で他のRICノード22がセカンダリのRICノードとして機能することがある。セカンダリのRICノードは、光リングネットワーク12と14の間で何らかのトラヒックを追加又はドロップする前に、プライマリのRICノードにエラーが存在するまで待つことがある。セカンダリのRICノードはまた、リング13と15と17と19のうちの１つにファイバ切断がある場合のような他の状況において、光リングネットワーク間でトラヒックを追加し、ドロップすることを開始することがある。RICノード22とADN18と20は、特定のリングに追加され、又はそれからドロップされるデータの特定のチャネルのようなリングのトラヒックを循環し続ける。
【００１７】
波長や出力や品質パラメータのような信号情報は、ADN18と20、RICノード22及び／又は集中制御システムで監視されることがある。従って、ADN18と20とRICノード22は、光リングネットワーク12と14のうちの１つ以上のリングでの回線切断又は他の障害の際に回線プロテクションを提供することがある。光管理チャネル（OSC）は、相互に及び制御システムと通信するために、ノードによって使用されることがある。
【００１８】
特定の実施例において、光リングネットワーク12と14の一方又は双方は、Optical  Unidirectional  Path-Switched  Ring（OUPSR）ネットワークであることがあり、そのネットワークにおいて、第１のADN18若しくは20又はRICノード22から第２のADN18若しくは20又はRICノード22に送信されたトラヒックが、特定の光リングネットワークの双方のリング上で、第１のADN18若しくは20又はRICノード22から第２のADN18若しくは20又はRICノード22に通信される。第２のADN18若しくは20又はRICノード22は、第２のノードが低ビットエラー率（BER）、更に好ましい出力レベル、及び／又はその他の適切な望ましい特徴を有するリングからのトラヒックをローカルのクライアント（群）に転送するように、双方のリングを介して届くトラヒックの間を選択することを可能にする構成要素を有することがある。その他、前記構成要素は、１つ以上の動作特性の選択されたレベルより下／上にトラヒックが低下（その場合には他のリングからのトラヒックが選択されることがある）しない限り、指定されたリングからトラヒックを選択することがある。その二重の信号の使用は、回線の断線又はリングの他方に対するその他の破損の際に、特定の光リングネットワークの少なくとも１つのリング上で、トラヒックが第１のADN18若しくは20又はRICノード22から第２のADN18若しくは20又はRICノード22に受け取ることを可能にする。
【００１９】
他の実施例において、光リングネットワーク12と14の一方又は双方は、Optical  Shared  Path  Protection  Ring（OSPPR）ネットワークであることがあり、そのネットワークにおいて、特定のリングネットワークのリングのうちの１つは、リングネットワークの他のリングの通信が中断された場合のバックアップ通信又はプロテクション・パスとして使用されることがある。そのようなバックアップ容量で使用されていない場合、プロテクション・パスは、他の優先使用可能なトラヒックを通信することがあり、それによってその実施例における光リングネットワークの容量を増加させる。
【００２０】
図２は、本発明の実施例による光リングネットワーク相互接続のためのシステム25を示したものである。システム25は、光ファイバリング23と24を有する。リング23は、ある光リングネットワークの一部であることがあり、リング24は、その他の光リングネットワークの一部であることがある。光情報信号は、リング23と24で異なる方向に伝送される。システム25は、それぞれリング23と24にトラヒックを追加し、それからドロップするように動作可能なRICノード26と28を有する。例えば、RICノード26で、トラヒックがリング23からドロップされ、リング24に追加されることがあり、RICノード28でトラヒックがリング24からドロップされ、リング23に追加されることがある。ドロップされ、追加されるトラヒックは、受動的に行われ、そのトラヒックはまた、トラヒックがドロップされたそれぞれのリングで循環し続けることがある。１つの実施例において、リング23と24は、図１のリング15と19に対応することがあり、RICノード26と28は図１のRICノード22の特定の構成要素を示す。
【００２１】
システム25は、トラヒックの受動的な追加とドロップを可能にする光カプラー30を有する。カプラー30が記載されているが、光スプリッタのようなその他の適切な構成要素が使用されることがある。この詳細な説明と特許請求の範囲において、“結合”と“スプリッタ”と“コンバイナ”という語は、それぞれ１つ以上の入力光信号を受信し、その入力光信号（群）を１つ以上の出力光信号に分割又は結合する何らかの装置を含むことがわかる。光カプラー30aと30dは、１つの入口リードと２つの出口リードを有する１×２光カプラーである。光カプラー30bと30cは、２つの入口リードと１つの出口リードを有する２×１光カプラーである。光カプラー30aと30dは、それぞれの入口リードを通じてトラヒックを受信し、双方の出口リード上でそのトラヒックを分配するように動作可能である。光カプラー30bと30cは、双方の入口リードを通じてトラヒックを受信し、それぞれの出口リード上でそのトラヒックを分配するように動作可能である。
【００２２】
RICノード26に関して、光カプラー30aは、リング23で通信されるトラヒックを受信し、そのトラヒックを１×Ｎカプラー32にドロップする。カプラー32は、チューナブル・フィルタ列34用にそのトラヒックのN個のコピーを作る。特定の実施例において、数Nは、リング24に追加されることを求められる、リング23で通信されるトラヒックのチャネル数に対応することがある。チューナブル・フィルタ列34はＮ個のチューナブル・フィルタからなり、前記チューナブル・フィルタのそれぞれは、異なるチャネルがフィルタを通過することを可能にするように実装される。利用されるチューナブル・フィルタの数を増やすことにより、リング23からドロップされてリング24に追加されることがあるトラヒックの量が増加することがある。チューナブル・フィルタの使用には、通信中の隣接した波長間のクロストークをフィルタで除去する際に助けになるチャネル増幅と、リング24に相互接続されたチャネル間での出力均等化とが含まれることがある。チューナブル・フィルタ列34を通過する情報は、OOO変換又はOEO変換を受け、変換モジュール36で波長変換を受けることがある。前記情報は、Ｎ×１光カプラー38にＮ個のチャネルで届く。光カプラー38はＮチャネルを結合し、結合されたチャネルのトラヒックをその出口リードを通じて光カプラー30cに送信し、そこでトラヒックがリング24に追加される。
【００２３】
RICノード28がリング24からトラヒックをドロップしてリング23にトラヒックを追加することを除いて、RICノード28はRICノード26と同様に動作する。光カプラー30dは、リング24で通信されるトラヒックを受信し、そのトラヒックを１×Ｍ光カプラー39にドロップする。カプラー39は、チューナブル・フィルタ列40用にそのトラヒックのM個のコピーを作る。チューナブル・フィルタ列40はM個のチューナブル・フィルタからなり、前記チューナブル・フィルタのそれぞれは、異なるチャネルがフィルタを通過することを可能にするように実装される。チューナブル・フィルタ列40を通過する情報は、OOO変換又はOEO変換を受け、変換モジュール41で波長変換を受けることがある。前記情報は、Ｍ×１光カプラー42にM個のチャネルで届く。光カプラー42はMチャネルを結合し、結合されたチャネルのトラヒックをその出口リードを通じて光カプラー30cに送信し、そこでトラヒックがリング23に追加される。
【００２４】
拒絶ブロック44と46は、特定の波長が光リング上で通過することを拒絶し、回避するように動作可能である。例えば、特定の波長のトラヒックがRICノード28で光リング23に追加される場合、拒絶ブロック44は、リング23で現在通信されているその波長の何らかのトラヒックをブロックし、RICノード28でリング23に追加されるその波長のトラヒックとの干渉を回避することがある。
【００２５】
システム25は、リング23と24の間で通信されるトラヒックのためのドロップ及び継続のプロテクションを提供する。更に、相互接続の容量とチャネル間隔は、利用されるチューナブル・フィルタの数、及び／又はチューナブル・フィルタにより通過される波長を変更することにより変更され得るため、柔軟である。
【００２６】
図３Ａは、本発明の実施例による光リングネットワーク52と54の間でトラヒックを通信するためのRICノード50を示したものである。RICノード50は、光カプラー56と、波長選択ユニット(WSU)58とを有する。光リングネットワーク52は、異なる方向にネットワーク52上でトラヒックを通信するリング53と55を有し、光リングネットワーク54は、異なる方向にネットワーク54上でトラヒックを通信するリング57と59を有する。WSU58は、光カプラー、チューナブル・フィルタ、多重化装置、逆多重化装置、トランスポンダ、スイッチ、ルータ又は増幅器のような、受動構成要素若しくは能動構成要素、又はその組み合わせを有することがある。WSU58は、他のリングに追加するために、１つのリングで通信されるトラヒックの特定の波長を選択する。例えば、光リングネットワーク52で通信されるトラヒックは、λ1−λ40のような複数チャネルを有することがある。前記トラヒックの特定のチャネルのみ、例えばλ1とλ2を光リングネットワーク54に追加することが望ましいことがある。そのような状況において、WSU58aと58bはそれぞれ、光リングネットワーク54と通信するためにλ1とλ2を選択することがある。WSU58はまた、１つの光リングネットワークから他のものに通信される１つ以上のチャネルに対してOOO/OEO変換、集約、及び／又は再生を実行することがある。RICノード50はまた、光リングネットワーク間でトラヒックの通信をするためのプロテクション機構の助けをする更に後述する拒絶ブロックのような、他の構成要素を有することがある。
【００２７】
トラヒックは光カプラー56cで光リングネットワーク52のリング55からドロップされ、光カプラー56eで光リングネットワーク54のリング57に追加される。そのトラヒックは、リング57に追加されるトラヒックの特定の波長又はチャネルを選択するWSU58aを通過する。トラヒックは、光カプラー56bで光リングネットワーク52のリング53からドロップされ、WSU58bを通過した後に、光カプラー56hで光リングネットワーク54のリング59に追加される。トラヒックはカプラー56fでリング57からドロップされ、WSU58cを通過した後に、カプラー56dでリング55に追加される。トラヒックはカプラー56gでリング59からドロップされ、WSU58dを通過した後に、カプラー56aでリング53に追加される。
【００２８】
図３Ｂは、本発明の実施例による光リングネットワーク552と553の間でトラヒックを通信するためのRICノード550を示したものである。RICノード550は、光カプラー556と、WSU558とを有する。図３ＡのRICノード50の１×１WSU58に対して、RICノード550は、トラヒックが１つのリング（例えばリング553と555のうちの１つ）から受信され、２つのリング（リング557と559）に分配されることがあるように、RICノード550のWSU558が２×２WSU（２つの入力ポートと２つの出力ポート）である点で、図３ＡのRICノード50と異なる。光リングネットワーク520は、異なる方向にネットワーク552上でトラヒックを通信するリング553と555を有し、光リングネットワーク554は、異なる方向にネットワーク554上でトラヒックを通信するリング557と559を有する。WSU558は、光カプラー、チューナブル・フィルタ、多重化装置、逆多重化装置、トランスポンダ、スイッチ、ルータ又は増幅器のような、受動構成要素若しくは能動構成要素、又はその組み合わせを有することがある。RICノード550はまた、光リングネットワーク間でトラヒックの通信をするためのプロテクション機構の助けをする更に後述する拒絶ブロックのような、他の構成要素を有することがある。
【００２９】
光カプラー556cで光リングネットワーク552のリング555からドロップされたトラヒックは、光カプラー556e及び／又は556hで光リングネットワーク554のリング557と559のいずれか又は双方に追加されることがある。そのトラヒックは、リング557と559のいずれか又は双方に追加されるトラヒックの特定の波長又はチャネルを選択するWSU558aを通過する。光カプラー556bで光リングネットワーク552のリング553からドロップされたトラヒックは、WSU558aを通過した後に、光カプラー556e及び／又は556hで光リングネットワーク554のリング557と559のいずれか又は双方に追加されることがある。カプラー556fでリング557からドロップされたトラヒックは、WSU558bを通過した後に、カプラー556及び／又は556dでリング553と555のいずれか又は双方に追加されることがある。カプラー556gでリング559からドロップされたトラヒックは、WSU558bを通過した後に、カプラー556a及び／又は556dでリング553と555のいずれか又は双方に追加されることがある。
【００３０】
図４Ａは、本発明の実施例による１つの光ファイバリングから他のものにトラヒックの特定の波長を通信するためのWSU60を示したものである。WSU60は、いくつかの実施例において図３ＡのWSU58として使用されることがある。WSU60は、１×２光カプラー62と、チューナブル・フィルタ列64と、トランスポンダ66と、２×１光カプラー68とを有する。カプラー62aで光ファイバリングからトラヒックが受信されることがあり、前記カプラー62aはそのトラヒックを２つのトラヒックのストリームにコピーする。カプラー62bと62cは、一緒に前記トラヒックの４つのストリームを作る。チューナブル・フィルタ列64は、それぞれ前記トラヒックの特定の波長を通過する１つ以上のチューナブル・フィルタを有する。図示された実施例のチューナブル・フィルタ列64は前記トラヒックの４つのストリームを合わせて受信するため、フィルタ列はトラヒックの４つの異なる波長を通過することがある。図示された実施例において、チューナブル・フィルタ列64aは２つのチューナブル・フィルタを有し、チューナブル・フィルタ列64bはその通過のための２つのチューナブル・フィルタを有する。チューナブル・フィルタ列64aはトラヒックをカプラー68aに直接転送し、チューナブル・フィルタ列64bはトラヒックをトランスポンダに転送する。トランスポンダ66はチューナブル・フィルタ列64bから受信された２つの波長に対する波長変換、集約、及び／又は再生を実行することがある。例えば、波長λ3とλ4が通過することをチューナブル・フィルタ列64bが可能にすると、トランスポンダ66はその波長をそれぞれ波長λ5とλ6に変換することがある。フィルタ列64aとトランスポンダ66のそれぞれから出る波長のトラヒックは、それぞれカプラー68aと68bで２つのトラヒックのストリームに結合され、カプラー68cで光ファイバリングに追加される単一のトラヒックのストリームに更に結合される。従って、WSU60は、１つの光リングネットワークの光ファイバリングから他の光リングネットワークの光ファイバリングにトラヒックの４つの波長を追加するように構成され、その２つは再生、集約及び／又は波長変換されることがある。WSUに含まれる構成要素の数又は形式を変更することにより、他の実施例によるWSUは、１つのリングから他のリングに異なる数の波長を追加することがある。
【００３１】
図４Ｂは、本発明の他の実施例による２つの光ファイバリング561から２つの光ファイバリング569にトラヒックの特定の波長を通信するためのWSU560を示したものである。WSU560は、いくつかの実施例において図３Ｂの２×２WSU558として使用されることがある。WSU560は、１×２光カプラー562と、チューナブル・フィルタ564と、トランスポンダ566と、増幅器567と、２×１光カプラー568とを有する。カプラー562で光ファイバリング561からトラヒックが受信されることがあり、前記カプラー562は８個のトラヒックのストリームを作る。チューナブル・フィルタ564は、それぞれ前記トラヒックの特定の波長を通過することがある。チューナブル・フィルタ564を通過するトラヒックは、スイッチモジュール565とモジュール565の２×１光スイッチに入る。
【００３２】
便宜のため、２つのみのスイッチ563が示されているが、当然のことながら、スイッチモジュール565は、ここでスイッチ563に関連して示されていないチューナブル・フィルタ564からトラヒックを受信するために、更なるスイッチ563を有することがある。前記更なるスイッチ563は、トランスポンダ566又は増幅器567のいずれかに結合されることがあり、それ故にリング561のそれぞれからのトラヒックがトランスポンダ又は増幅器のいずれかを通じて双方のリング569に送信されることがある。
【００３３】
スイッチモジュール565を出るトラヒックは、カプラー568で結合され、光ファイバリング569に追加される。前述の通り、動作中に、WSU560はリング561のうちの１つから特定の波長のトラヒックを選択し、そのトラヒックを双方のリング569に追加することがある。
【００３４】
図４Ｃと４Ｄと４Ｅは、図４Ｂのスイッチモジュール565の代わりに使用されることがある他の形式のスイッチモジュールを示したものである。例えば、WSUを使用して１つ以上のリングから１つ以上の更なるリングに通過するトラヒックの選択における追加の柔軟性のため、図４Ｃのスイッチモジュール600は、２×２光スイッチ602と、トランスポンダと、増幅器606を利用する。図４Ｄのスイッチモジュール610は、更なる柔軟性のためのトランスポンダの後に、更なる２×２光スイッチ612を利用する。WSUを使用して１つ以上のリングから１つ以上の更なるリングに選択して通過するトラヒックの切り替えにおける更に大きい柔軟性のため、図４Ｅのスイッチモジュール620は、更なるカプラー622と１×２光スイッチ624を利用する。当然ながら、異なる構成を備えた他の形式のスイッチモジュールも、動作上の必要性に応じて、本発明の特定の実施例に従って使用されることがある。例えば、図４Ｂのスイッチモジュール565に関して前述した通り、それぞれ図４Ｃと４Ｄと４Ｅのスイッチモジュール600と610と620は、ここで図４Ｂのスイッチモジュールに関係して示されていないチューナブル・フィルタ564と結合するために、更なるスイッチと他の構成要素を有することがある。
【００３５】
図５Ａは、本発明の実施例による１つの光ファイバリングから他のものにトラヒックの特定の波長を通信する際に使用するWSU70を示したものである。WSU70は、いくつかの実施例において図３ＡのWSU58として使用されることがある。WSU70は、帯域逆多重化装置72と、１×２光カプラー74と、チューナブル・フィルタ列76と、トランスポンダ78と、スイッチ80と、増幅器82と、２×１光カプラー84と、帯域多重化装置86とを有する。帯域逆多重化装置72は、光ファイバリングからWSU70にドロップされたトラヒックから特定のサブ帯域を分離する。逆多重化装置72により分離された１つ以上のサブ帯域は、１×２カプラー74に渡され、他のものはスイッチ80に渡される。カプラー74は、受信したサブ帯域を、チューナブル・フィルタ列76により受信される２つのトラヒックのストリームにコピーする。チューナブル・フィルタ列76はトラヒックの２つの異なる波長をトランスポンダ78に対して通過する。トランスポンダ78は受信された２つの波長に対する波長変換、集約、及び／又は再生を実行することがある。トランスポンダ78から出る波長のトラヒックは、カプラー84で結合される。スイッチ80は逆多重化装置72からチャネルの１つ以上のサブ帯域を受信する。スイッチ80は、必要な際にスイッチで受信される特定のサブ帯域を選択的に通過するon/offスイッチからなる。スイッチ80を通過するサブ帯域は、増幅器82で増幅される。増幅器82とカプラー84から出るトラヒックは、光ファイバリングへの通信のために、帯域多重化装置86で多重化される。
【００３６】
図５Ｂは、本発明の他の実施例による１つの光ファイバリングから他のものにトラヒックの特定の波長を通信する際に使用するWSU570を示したものである。WSU570は、いくつかの実施例において図３Ａの２×２WSU58として使用されることがある。WSU570は、WSU570が１つのリングからトラヒックを受信し、特定の波長を２つのリングに分配することがあることを除いて、図５ＡのWSU70と類似する。WSU570は、帯域逆多重化装置572と、１×２光カプラー574と、チューナブル・フィルタ576と、増幅器582と、スイッチモジュール575と、２×１光カプラー584と、帯域多重化装置586とを有する。トラヒックは帯域逆多重化装置572で光ファイバリング571から受信され、カプラー574及びチューナブル・フィルタ576を通じて、又は増幅器582を通じて、スイッチモジュール575に分離されて分配されることがある。次に、トラヒックはスイッチモジュール575の２×１スイッチ573に入る。便宜のため、２つのみのスイッチ573が示されているが、スイッチモジュール575は、スイッチ573に関連して示されていないチューナブル・フィルタ576からトラヒックを受信するために、トランスポンダに結合された１つ以上の更なる２×１スイッチを有することがある。
【００３７】
スイッチモジュール575から出るトラヒックは、リング579に追加するため、最終的に多重化装置586のうちの１つに到達する。前述の通り、動作中に、WSU570はリング571のうちの１つから特定の波長のトラヒックを選択し、そのトラヒックを双方のリング579に追加することがある。
【００３８】
当然のことながら、それぞれ図４Ｃと４Ｄと４Ｅのスイッチモジュール600と610と620は、図５Ｂのスイッチモジュール575の代わりに利用されることがある。その場合、スイッチモジュール600と610と620の増幅器が取り除かれることがある。更に、図５Ｂのスイッチモジュールに関係してここで示されていないチューナブル・フィルタ576と結合するために、更なるスイッチと他の構成要素が使用されることがあり、使用される特定のモジュールの目的と柔軟性を更に達成する。異なる構成を備えた他の形式のスイッチモジュールも、動作上の必要性に応じて、WSU570のスイッチモジュール575の代わりに使用されることがある。
【００３９】
図６Ａは、本発明の実施例による１つの光ファイバリングから他のものにトラヒックの特定の波長を通信する際に使用するWSU90を示したものである。WSU90は、いくつかの実施例において図３ＡのWSU58として使用されることがある。WSU90は、帯域選択スイッチ（WSS）92と、１×２光カプラー94と、チューナブル・フィルタ列96と、トランスポンダ97と、増幅器95と、２×１光カプラー98及び99とを有する。WSS92はWSU90で受信されたトラヒックの特定の波長を選択し、カプラー94と増幅器95に対して通過する。カプラー94は、受信した波長のトラヒックを、チューナブル・フィルタ列96により受信される２つのトラヒックのストリームにコピーする。チューナブル・フィルタ列96はトラヒックの２つの異なる波長をトランスポンダ97に対して通過する。トランスポンダ97は受信された２つの波長に対する波長変換、集約、又は再生を実行することがある。トランスポンダ97から出る波長のトラヒックは、カプラー98で１つのトラヒックのストリームに結合される。増幅器95はWSSから受信した特定の波長のトラヒックを増幅する。その増幅されたトラヒックがカプラー99で受信され、前記カプラー99は、カプラー98からのトラヒックと増幅されたトラヒックを、光ファイバリングへの通信のための１つのトラヒックのストリームに結合する。
【００４０】
図６Ｂは、本発明の他の実施例による１つの光ファイバリングから他のものにトラヒックの特定の波長を通信する際に使用するWSU590を示したものである。WSU590は、いくつかの実施例において図３Ｂの２×２WSU558として使用されることがある。WSU590は、WSU590が１つのリングからトラヒックを受信し、特定の波長を２つのリングに分配することがあることを除いて、図６ＡのWSU90と類似する。WSU590は、WSS592と、増幅器591と、カプラー594と、チューナブル・フィルタ596と、スイッチモジュール595と、カプラー598と、WSS599とを有する。トラヒックはWSS592で光ファイバリング587から受信され、カプラー594及びチューナブル・フィルタ596を通じて、又は増幅器591を通じて、スイッチモジュール595に分配されることがある。次に、トラヒックはスイッチモジュール595の２×１スイッチ593に入る。便宜のため、２つのみのスイッチ593が示されているが、スイッチモジュール595は、スイッチ593に関連して示されていないチューナブル・フィルタ576からトラヒックを受信するために、トランスポンダに結合された１つ以上の更なる２×１スイッチを有することがある。
【００４１】
スイッチモジュール595から出るトラヒックは、リング589に追加するため、最終的にWSS599のうちの１つに到達する。前述の通り、動作中に、WSU590はリング587のうちの１つから特定の波長のトラヒックを選択し、そのトラヒックを双方のリング589に追加することがある。
【００４２】
当然のことながら、それぞれ図４Ｃと４Ｄと４Ｅのスイッチモジュール600と610と620は、図６Ｂのスイッチモジュール595の代わりに利用されることがある。その場合、スイッチモジュール600と610と620の増幅器が取り除かれることがある。更に、図５Ｂのスイッチモジュールに関係してここで示されていないチューナブル・フィルタ596と結合するために、更なるスイッチと他の構成要素が使用されることがあり、使用される特定のモジュールの目的と柔軟性を更に達成する。異なる構成を備えた他の形式のスイッチモジュールも、動作上の必要性に応じて、WSU590のスイッチモジュール595の代わりに使用されることがある。
【００４３】
図７Ａは、本発明の実施例による１つの光ファイバリングから他のものにトラヒックの特定の波長を通信する際に使用するWSU700を示したものである。WSU700は、いくつかの実施例において図３ＡのWSU58として使用されることがある。WSU700は、カプラー702及び712と、チューナブル・フィルタ列704と、トランスポンダ708と、波長ブロッカー706と、増幅器710とを有する。チューナブル・フィルタ列704は、リングからドロップされたトラヒックの２つの異なる波長をトランスポンダ708に対して通過する。トランスポンダ708は受信された２つの波長に対する波長変換、集約、及び／又は再生を実行することがある。トランスポンダ708から出る波長のトラヒックは、カプラー712aで結合される。波長ブロッカー076は、光ファイバリングからWSU70にドロップされたトラヒックの特定の波長をブロックする。波長ブロッカー706を通過するトラヒックは、増幅器710で増幅される。増幅器710とカプラー712aから出るトラヒックは、光ファイバリングに通信するために、カプラー712bで結合される。
【００４４】
図７Ｂは、本発明の他の実施例による１つの光ファイバリングから他のものにトラヒックの特定の波長を通信する際に使用するWSU720を示したものである。WSU720は、いくつかの実施例において図３Ｂの２×２WSU558として使用されることがある。WSU720は、WSU720が１つのリングからトラヒックを受信し、特定の波長を２つのリングに分配することがあることを除いて、図７ＡのWSU700と類似する。WSU720は、光カプラー722及び724と、チューナブル・フィルタ728と、波長ブロッカー726と、スイッチモジュール725と、光カプラー734とを有する。トラヒックはカプラー722で光ファイバリング721から受信され、カプラー724及びチューナブル・フィルタ728を通じて、又は波長ブロッカー726及び図示された増幅器を通じて、スイッチモジュール725に分配されることがある。次に、トラヒックはスイッチモジュール725の２×１スイッチ730に入る。便宜のため、２つのみのスイッチ730が示されているが、スイッチモジュール725は、スイッチ730に関連して示されていないチューナブル・フィルタ728からトラヒックを受信するために、トランスポンダに結合された１つ以上の更なる２×１スイッチを有することがある。
【００４５】
スイッチモジュール725から出るトラヒックは、リング723に追加するため、カプラー734で結合される。前述の通り、動作中に、WSU720はリング721のうちの１つから特定の波長のトラヒックを選択し、そのトラヒックを双方のリング723に追加することがある。
【００４６】
当然のことながら、それぞれ図４Ｃと４Ｄと４Ｅのスイッチモジュール600と610と620は、図７Ｂのスイッチモジュール725の代わりに利用されることがある。その場合、スイッチモジュール600と610と620の増幅器が取り除かれることがある。更に、図７Ｂのスイッチモジュールに関係してここで示されていないチューナブル・フィルタ728と結合するために、更なるスイッチと他の構成要素が使用されることがあり、使用される特定のモジュールの目的と柔軟性を更に達成する。異なる構成を備えた他の形式のスイッチモジュールも、動作上の必要性に応じて、WSU720のスイッチモジュール725の代わりに使用されることがある。
【００４７】
ここに記載されたWSUは、１つの光ファイバリングから他のものに通信されるトラヒックの形式と、そのトラヒックが通信される方法を制御する特定の構成要素を組み込む。他の実施例によるWSUは、前記の目的のため、前記又は他の構成要素の何らかの組み合わせを利用することがある。例えば、WSUを通過する波長の数は、構成要素の数及び／又は形式を変更することによって変化することがある。
【００４８】
図８Ａは、本発明の実施例による１つの光リングネットワークから他のものにトラヒックを通信するためのシステム100を示したものである。システム100は、光リングネットワーク102と104を有する。光リングネットワーク102は、異なる方向にネットワーク52上でトラヒックを通信するリング103と105を有し、光リングネットワーク104は、異なる方向にトラヒックを通信するリング107と109を有する。図８Ａは、光リングネットワーク102から光リングネットワーク104にトラヒックを追加するためのシステム100の特定の構成要素のみを示したに過ぎない。システム100はネットワーク104からネットワーク102にトラヒックを追加するための他の構成要素を有することがある。例えば、各RICノードは、ネットワーク104からネットワーク102にトラヒックを追加するために、更なる２つのWSUと拒絶ブロックとを有することがある。
【００４９】
システム100はRICノード110と112を有する。RICノード110は、光カプラー114と、WSU118と、拒絶ブロック122とを有し、RICノード112は、光カプラー116と、WSU120と、拒絶ブロック124とを有する。動作中に、RICノード110と112のうちの１つがプライマリのRICノードとして機能することがあり、他方がセカンダリ又はプロテクションのRICノードとして機能することがある。例えば、RICノード110がプライマリのRICノードとして機能している場合、それは通常の動作のもとで光リングネットワーク102と104の間のトラヒックを通信することがある。リング103で通信されるトラヒックは、カプラー114aでドロップされる。そのトラヒックの特定のチャネルはWSU118bで選択され、そのチャネルがカプラー114cでリング107に追加される。同様に、リング105で通信されるトラヒックが光カプラー114bによりドロップされ、そのトラヒックの特定のチャネルがWSU118aで選択され、そのチャネルがカプラー114dでリング109に追加される。従って、動作中に、RICノード110は、光リングネットワーク102で通信されるトラヒックの特定のチャネルを光リングネットワーク104に追加することができる。
【００５０】
同様に、動作中に、RICノード112は、光リングネットワーク102で通信されるトラヒックの特定のチャネルを光リングネットワーク104に追加することができる。RICノード112がセカンダリのRICノードとして機能している場合、RICノード110によりネットワーク102からネットワーク104に通信されるトラヒックの性能にエラー又は問題が存在するまで、RICノード112は動作中にならない。前記エラーは、RICノード110の１つ以上の構成要素の問題、又は光リングのファイバ切断から生じる。そのような状態において、リング103で通信されるトラヒックがカプラー116aでドロップされ、そのトラヒックの特定のチャネルがWSU120bで選択され、そのチャネルがカプラー116cでリング107に追加される。同様に、リング105で通信されるトラヒックが光カプラー116bによりドロップされ、そのトラヒックの特定のチャネルがWSU120aで選択され、そのチャネルがカプラー116dでリング109に追加される。
【００５１】
それぞれRICノード110と112の拒絶ブロック122と124は、トラヒックの特定の波長が通過することを回避することができる。例えば、RICノード110が特定の波長のトラヒック、例えばλ1を光リングネットワーク104に追加する場合、拒絶ブロック122は、カプラー114で追加されるλ1のトラヒックとの干渉を回避するために、λ1のトラヒックがそのフィルタを通過することをブロックすることがある。
【００５２】
拒絶ブロック122と124はまた、RICノードの性能に問題又はエラーが存在するか否かを判断し、１つの光リングネットワークから他のものにトラヒックを追加するために、トラヒックの特定の波長の存在を検出することができる。例えば、RICノード110がプライマリのRICノードとして機能し、RICノード112がセカンダリのRICノードとして機能する場合、RICノード112の拒絶ブロック124は、通常の動作中にRICノード110によりリング107と109に追加されることになっている特定のトラヒックがそのリングに存在するか否かを、検出することができる。拒絶ブロック124がそのトラヒックを検出しない場合、RICノード110に問題又はエラーが存在することがある。その場合、RICノード112はセカンダリ又はプロテクションのRICノードとしての役割を実行し、RICノード110の故障のために行われていないリング107と109へのそのトラヒックの追加を開始する。
【００５３】
図８Ｂは、本発明の実施例による光リングネットワークから他のものにトラヒックを通信するためのシステム800を示したものである。システム800は、光リングネットワーク802と804を有する。光リングネットワーク802は、異なる方向にトラヒックを通信するリング803と805を有し、光リングネットワーク804は、異なる方向にトラヒックを通信するリング807と809を有する。図８Ｂは、光リングネットワーク802から光リングネットワーク804にトラヒックを追加するためのシステム800の特定の構成要素のみを示したに過ぎない。システム800はネットワーク804からネットワーク802にトラヒックを追加するための他の構成要素を有することがある。例えば、各RICノードは、ネットワーク804からネットワーク802にトラヒックを追加するために、更なるWSUと拒絶ブロックとを有することがある。
【００５４】
システム800はRICノード810と812を有する。RICノード810は、光カプラー814と、WSU818と、拒絶ブロック822とを有し、RICノード812は、光カプラー816と、WSU820と、拒絶ブロック824とを有する。システム800は図８Ａのシステム100と類似しているが、図８Ａのシステム100のRICノード110と112に含まれる２つの１×１WSUの代わりに、RICノード810と812がそれぞれ１つの２×２WSUを有する点で、RICノード801と812は図８ＡのRICノード110と112と異なる。従って、システム800の各RICノードの各WSUは、１つのリングからトラヒックを受信し、そのトラヒックを２つのリングに分配することが可能である。
【００５５】
動作中に、RICノード810と812のうちの１つがプライマリのRICノードとして機能することがあり、他方がセカンダリ又はプロテクションのRICノードとして機能することがある。例えば、RICノード810がプライマリのRICノードとして機能している場合、それは通常の動作のもとで光リングネットワーク802と804の間のトラヒックを通信することがある。リング803で通信されるトラヒックは、カプラー814aでドロップされる。そのトラヒックの特定のチャネルはWSU818で選択され、そのチャネルがカプラー814c及び／又は814dでリング807と809の１つ又は双方に追加されることがある。同様に、リング805で通信されるトラヒックが光カプラー814bでドロップされ、そのトラヒックの特定のチャネルがWSU818で選択され、そのチャネルがカプラー814c及び／又は814dでリング807と809の１つ又は双方に追加されることがある。従って、動作中に、RICノード810は、光リングネットワーク802で通信されるトラヒックの特定のチャネルを光リングネットワーク804に追加することができる。
【００５６】
同様に、動作中に、RICノード812は、光リングネットワーク802で通信されるトラヒックの特定のチャネルを光リングネットワーク804に追加することができる。RICノード812がセカンダリのRICノードとして機能している場合、RICノード810によりネットワーク802からネットワーク804に通信されるトラヒックの性能にエラー又は問題が存在するまで、RICノード812は動作中にならない。前記エラーは、RICノード810の１つ以上の構成要素の問題、又は光リングのファイバ切断から生じる。そのような状態において、リング803で通信されるトラヒックがカプラー816aでドロップされ、そのトラヒックの特定のチャネルがWSU820で選択され、そのチャネルがカプラー816c及び／又は816dでリング807と809の１つ又は双方に追加されることがある。同様に、リング805で通信されるトラヒックが光カプラー816bでドロップされ、そのトラヒックの特定のチャネルがWSU820で選択され、そのチャネルがカプラー816c及び／又は816dでリング807と809の１つ又は双方に追加されることがある。
【００５７】
それぞれRICノード810と812の拒絶ブロック822と824は、トラヒックの特定の波長が通過することを回避することができる。例えば、RICノード810が特定の波長のトラヒック、例えばλ1を光リングネットワーク804に追加する場合、拒絶ブロック822は、カプラー814で追加されるλ1のトラヒックとの干渉を回避するために、λ1のトラヒックがそのブロックを通過することを妨げることがある。
【００５８】
拒絶ブロック822と824はまた、RICノードの性能に問題又はエラーが存在するか否かを判断し、１つの光リングネットワークから他のものにトラヒックを追加するために、トラヒックの特定の波長の存在を検出することができる。例えば、RICノード810がプライマリのRICノードとして機能し、RICノード812がセカンダリのRICノードとして機能する場合、RICノード112の拒絶ブロック124は、通常の動作中にRICノード810によりリング807と809に追加されることになっている特定のトラヒックがそのリングに存在するか否かを、検出することができる。拒絶ブロック824がそのトラヒックを検出しない場合、RICノード810に問題又はエラーが存在することがある。その場合、RICノード812はセカンダリ又はプロテクションのRICノードとしての役割を実行し、RICノード810の故障のために行われていないリング807と809へのそのトラヒックの追加を開始する。
【００５９】
図９は、本発明の特定の実施例で使用されることがある拒絶ブロック140を示したものである。拒絶ブロック140は、入ってくるトラヒックのチャネルを逆多重化する逆多重化装置142を有する。図示された実施例において、トラヒックは逆多重化される４つのチャネルλ1-λ4を有しているが、他の実施例は、拒絶ブロックに入るその他の数のチャネルを有することがある。各チャネルのトラヒックは、関連付けられたカプラー144により通過される。図示された実施例において、カプラー144はまた、受信した何らかのトラヒックを、特定のチャネルのストリームの存在を検出するそれぞれの光検出器154にドロップする。例えば、拒絶ブロック140が利用されるシステムのプライマリのRICノードが、λ1のトラヒックを光リングに追加する意図した機能を実行していない場合、カプラー144aに結合された光検出器154は、カプラー144aからλ1を受信しないため、λ1のトラヒックが存在しないことを検出することができる。そのような場合、波長選択制御（WSC）156として図示された実施例に具現された管理ソフトウェアは、WSUへのλ1のトラヒックの欠落を通信することができ、それ故にWSUがそれに含まれるRICノードのプロテクションの機能の実行を開始することがあり、それにより必要に応じてλ1のトラヒックを光リングに追加することがある（例えば、WSCがWSUを作動又は起動させる）。他の実施例において、いくつかのチャネルは、そのチャネルでトラヒックを検出するための光検出器を有しないことがある。その特定のチャネル用のカプラーが必要ないことがある。
【００６０】
スイッチ146は、特定のチャネルの通過を回避することができるon/offスイッチである。例えば、λ1がブロックを通過することを拒絶ブロック140が回避する必要がある場合、スイッチ146がλ1のチャネルのストリームに関して作動し、λ1のトラヒックの通過を回避する。スイッチ146は、出力を失ったとしても、通過状態を維持することが可能なラッチ機能を有する。従って、拒絶ブロック140を有するRICノードへの出力損失の際に、特定の光リング方向に拒絶ブロックに到達するトラヒックは、前記光リング方向に拒絶ブロックを通過されることがある。特定の実施例において、WDMチャネル間で出力レベルを調整するため、可変光減衰器（VOA）148とVOA制御149が、カプラー150と光検出器155と共に使用される。特定の実施例は、VOA148と、VOA制御149と、関連するカプラー150と、光検出器155とを有さないことがある。チャネルのストリームは、光リングでの更なる通信のため、多重化装置152で１つのトラヒックのストリームに多重化される。
【００６１】
図１０は、発信ノード201から宛先ノード203にトラヒックを通信するためのシステム200を示したものである。システム200は、光リングネットワーク202と204を有する。光リングネットワーク202はリング206と208を有し、光リングネットワーク204はリング210と211を有する。光リングネットワーク202と204は、双方共にOUPSR光リングネットワークであり、トラヒックが各光リングネットワークの双方のリング上で通信される。例えば、トラヒックはリング206で一方向に通信され、光リングネットワーク102のリング208上で反対方向に通信されることがある。同様に、トラヒックはリング210上で一方向に通信され、光リングネットワーク204のリング211上で他方向に通信されることがある。
【００６２】
発信ノード201から宛先ノード203にトラヒックを通信するために、光リングネットワーク202のトラヒックは光リングネットワーク204に追加されなければならない。システム200は、その目的のためにRICノード212と214を有する。RICノード212と214は、リング206で通信されるトラヒックをリング210に追加することができ、リング208で通信されるトラヒックをリング211に追加することもできる。光リングネットワーク202で通信されるトラヒックを光リングネットワーク204に追加することを通じて、発信ノード201から宛先ノード203へのトラヒックの通信について説明したが、当然のことながら、RICノード212と214はまた、リング210で通信されるトラヒックをリング206に追加することができ、リング211で通信されるトラヒックをリング208に追加することもできる。RICノード212と214は、１つの光リングネットワークから他の光リングネットワークに通信されるトラヒックの特定のチャネルのみを追加するWSUのような構成要素を有することがある。
【００６３】
図示された実施例において、RICノード212はプライマリのRICノードとして動作し、RICノード214はセカンダリのRICノードとして動作する。RICノード214はセカンダリのRICノードとして動作するため、RICノード212がトラヒックをリング210と211に追加しているときに、RICノード214はトラヒックをそのリングに追加しない。これは、そのトラヒックがリング210と211に追加されることを回避するために、RICノード214のWSUが停止又は非作動である場合である。他の実施例において、RICノード214がプライマリのノードとして動作することがあり、RICノード212がセカンダリのRICノードとして動作することがある。その場合、RICノード214がトラヒックをそのリングに追加しているときに、RICノード212はトラヒックをリング210と211に追加しない。
【００６４】
動作中に、リング206又は208からそれぞれリング210又は211にトラヒックを効果的に追加するRICノード212の性能に問題又はエラーが生じた場合、RICノード214は、RICノード212がそのトラヒックを追加していないことを認識する。その認識は、１つ以上の拒絶ブロックのようなRICノード214の特定の構成要素で行われることがある。トラヒックを効果的に追加するRICノード212の性能のエラーは、出力の損失のようなWSUの故障又は他の構成要素の問題から生じることがある。その後、RICノード214は、プロテクションとして、リング206と208からそれぞれリング210と211にトラヒックを追加し始める。従って、RICノードのエラーにも関わらず、システム200は発信ノード201から宛先ノード203にトラヒックを通信することが可能であり続ける。
【００６５】
ここで開示された他のRICノードに関して前述した通り、RICノード内の受動カプラーの使用によるRICノード212と214の受動的なadd/drop機能のため、及び拒絶フィルタが故障の場合に自動的にトラヒックを通過するため、WSUの故障又はその他のものにより、RICノードが１つの光リングネットワークから他のものに効果的にトラヒックを追加できなくなった場合ですら、各RICノードはトラヒックが通信されている光リングネットワークにトラヒックを通過し続けることがある。
【００６６】
光リングネットワーク202のセグメントのファイバ切断の場合、RICノード212は光リングネットワーク202から光リングネットワーク204にトラヒックを追加し続ける。例えば、発信ノード201をRICノード212に直接接続するリング206と208のセグメントでファイバ切断216がある場合、RICノード212とRICノード214の間の直接のセグメントにRICノード212により通常渡されるリング208のトラヒックをRICノード214が受信しない。この場合、RICノード212から持続波のダミー信号217がRICノード214により受信され、RICノード212が依然として動作中であり、RICノード214がリング208の通常のトラヒックを受信していない理由はリング208のファイバ切断又は他のエラーであることをRICノード214に通知する。従って、RICノード212が依然として動作中であるため、RICノードはプロテクション機能を実行するために動作中になる必要はない。RICノード212が反時計回りのリング206でトラヒックを依然として受信し、トラヒックをリング210に追加し、それを通じてトラヒックが宛先ノード203に通信されるため、発信ノード201からのトラヒックは依然として宛先ノード203に到達する。
【００６７】
ファイバ切断216に加えて、光リングネットワーク202から光リングネットワーク204に効果的にトラヒックを追加するRICノード212の性能のエラーの場合、セカンダリRICノード214はRICノード212から持続波のダミー信号217を受信しない。従って、RICノード214は、RICノード212が動作中でないことを認識し、前述の通り、光リングネットワーク202から光リングネットワーク204にトラヒックを追加するために動作中になる。
【００６８】
特定の状況において、RICノード214と宛先ノード203は光管理チャネル（OSC）上で通信することがあり、それ故にRICノード212が光リングネットワーク204にトラヒックを効果的に追加することにエラーが存在するか否かをセカンダリのRICノード214が認識し、それによりセカンダリRICノード214がリングネットワーク204にトラヒックを追加する結果を生じる。宛先ノード203とセカンダリのRICノード214の間の前記通信は、図示された実施例において、OSC回線219で示されている。一例として、RICノード212とRICノード214の間の直接のリング211のセグメントでのファイバ切断221に加えて（ファイバ切断216はない）、リングネットワーク202からリングネットワーク204にトラヒックを追加するRICノード212の性能にエラーが存在する場合、宛先ノード203は、RICノード214が光リングネットワーク202から光リングネットワーク204にトラヒックを追加する必要があることを、OSC回線を通じてRICノード214に通知することがある。従って、セカンダリのRICノード214は、RICノード212、RICノード214に含まれる拒絶ブロックのような構成要素、及び／又は宛先ノード203との通信から受信する信号に基づいて、プロテクションとして動作中になる必要のあるときを判断することができる。
【００６９】
図１１は、発信ノード301から宛先ノード303にトラヒックを通信するためのシステム300を示したものである。システム300は、光リングネットワーク302と304を有する。光リングネットワーク302はリング306と308を有し、光リングネットワーク304はリング310と311を有する。光リングネットワーク302はOSPPR光リングネットワークであり、それ故に１つのリング（例えば図示された実施例のリング306）が、他方のリング（例えば図示された実施例のリング308）が破損した場合のバックアップ通信経路として使用されることがある。そのようなバックアップ容量として使用されていないときは、リング308は他のトラヒックを通信することがあり、それにより光リングネットワーク302の容量を増加させる。光リングネットワーク304はOUPSR光リングネットワークであり、それ故に同じトラヒックがリング310と311の双方で、例えばリング311上で時計回り方向に、リング311上で反時計回り方向に通信される。
【００７０】
発信ノード301から宛先ノード303にトラヒックを通信するために、光リングネットワーク302のトラヒックは光リングネットワーク304に追加されなければならない。システム300は、その目的のためにRICノード312と314を有する。光リングネットワーク302で通信されるトラヒックを宛先ノード304に追加することを通じて、発信ノード301から宛先ノード303にトラヒックを通信することがここで説明されるが、当然のことながら、RICノード312と314はまた、光リングネットワーク304で通信されるトラヒックを光リングネットワーク302に追加することができる。
【００７１】
図示された実施例において、RICノード312はプライマリのRICノードとして動作し、RICノード314はセカンダリのRICノードとして動作する。動作中に、光リングネットワーク302から光リングネットワーク304にトラヒックを効果的に追加するRICノード312の性能に問題又はエラーが生じた場合、RICノード314は、RICノード312がそのトラヒックを追加していないことを認識する。その後、RICノード314は、プロテクションとして、ネットワーク302からネットワーク304にトラヒックを追加し始め、それにより発信ノード301から宛先ノード303にトラヒックが通信されることがある。特定の状況において、リングネットワーク302のリング308方向にトラヒックを渡すRICノード312の性能の問題又はファイバ切断のため、RICノードはリング308方向にトラヒックを受信せず、それ故に発信ノード301がリング306上でRICノード314にトラヒックを通信しなければならないことを、OSC回線319を通じて発信ノード301に通知することがある。RICノード314は、宛先ノード303への通信のために、そのトラヒックを光リングネットワーク304に追加することがある。ここに記載されたプロテクション方法及び機構はまた、OUPSRネットワークの発信ノードからOSPPRネットワークの宛先ノードへのトラヒックの通信のような、他のネットワーク構成に適用することができる。前記プロテクション機構はまた、例えばRICノードが１つのネットワークから他のものにトラヒックを通信できないことを発信元又は他のノードに通知するためにOSC回線を利用することにより、１つのOSPPRネットワークから他のものにトラヒックを通信するときに使用されることがある。
【００７２】
拒絶フィルタや、持続波のダミー信号やOSC上の通信の使用のような、１つの光リングネットワークから他のものへのトラヒックの通信における特定のエラーに対して保護する多様なプロテクション方法がここで説明された。そのようなエラーには、RICノードのエラーとファイバ切断の双方が含まれる。当然のことながら、ここで一般的に説明されたプロテクション方法は、図示されたもの以外のセグメントにおけるファイバ切断のような、他の形式のエラーに対して保護するために実施され得る。例えば、特定の光リングネットワーク構成に関して、拒絶ブロックは、ファイバ切断又はRICノードのエラーのためのプロテクション機構を実行するために、図示された以外の位置で使用されることがある。更に、セカンダリのRICノードが必要に応じてプロテクション機能を実行することができるように、他のプロテクション方法が使用されることがある。
【００７３】
図１２は、本発明の実施例によりリングネットワーク間で光トラヒックを通信するための方法を示すフローチャートである。前記方法はステップ400で始まり、光トラヒックが第１の光リングネットワークと第２の光リングネットワークを通じて通信される。ステップ402において、第１のRICノードで第１と第２の光リングネットワークの間で光トラヒックが通信される。ステップ404において、第１のRICノードが第１と第２の光リングネットワークの間でトラヒックを通信できないことが判断される。その通信不能は、例えば第１のRICノードへの出力の損失又は光リングネットワークのうちの１つでのファイバ切断から生じることがある。ステップ406において、第１のRICノードが第１と第２の光リングネットワークの間で光トラヒックを通信できないときに、第２のノードで第１と第２の光リングネットワークの間で光トラヒックが通信される。
【００７４】
図１２に示されたステップのうちのいくつかは、必要に応じて、結合、変更又は削除されることがあり、更なるステップがフローチャートに追加されることもある。更に、本発明の範囲を逸脱することなく、何らかの適切な順序でステップが実行されることがある。
【００７５】
本発明が詳細に説明されたが、多様な変更と変形が当業者に提案されることがある。本発明は、特許請求の範囲内にあるそのような変更及び変形を含むことを意図している。
（付記1）
リングネットワーク間で光トラヒックを通信するためのシステムであって、
それぞれの光リングネットワークが複数の波長からなる光トラヒックを通信するように動作可能である第１の光リングネットワークと第２の光リングネットワークと、
それぞれのリング相互接続（RIC）ノードが前記第１と第２の光リングネットワークに結合された第１のRICノードと第２のRICノードと
を有し、
前記第１のRICノードが、前記第１と第２の光リングネットワークの間で光トラヒックを通信するように動作可能であり、
前記第１のRICノードが前記第１と第２の光リングネットワークの間で光トラヒックを通信できないときに、前記第２のRICノードが前記第１と第２の光リングネットワークの間で光トラヒックを通信するように動作可能であるシステム。
（付記２）
付記１に記載のシステムであって、
前記第２のRICノードが、前記第１のRICノードが前記第１と第２の光リングネットワークの間で光トラヒックを通信できないときを判断するように動作可能であるシステム。
（付記３）
付記１に記載のシステムであって、
前記第１のRICノードが、
前記第１の光リングネットワークから光トラヒックを受信し、
前記第１の光リング方向に前記光トラヒックの第１のコピーを受動的に通過し、
前記光トラヒックの第２のコピーをドロップし、
前記ドロップされた光トラヒックの１つ以上の波長を選択し、
前記１つ以上の波長を前記第２の光リングネットワークに通信する
ように動作可能であるシステム。
（付記４）
付記３に記載のシステムであって、
前記第２のRICノードが、
前記第１のRICノードが前記第１と第２の光リングネットワークの間で光トラヒックを通信できないときを判断し、
前記第１のRICノードから前記光トラヒックの前記第１のコピーを受信し、
前記第１の光リング方向に前記光トラヒックの第３のコピーを受動的に通過し、
前記光トラヒックの第４のコピーをドロップし、
前記ドロップされた光トラヒックの１つ以上の波長を選択し、
前記第１のRICノードが前記第１と第２の光リングネットワークの間で光トラヒックを通信できないときに、前記１つ以上の波長を前記第２の光リングネットワークに通信する
ように動作可能であるシステム。
（付記５）
付記１に記載のシステムであって、
前記第１と第２のRICノードがそれぞれ、前記第１と第２の光リングネットワークの間で通信するために、光トラヒックの１つ以上の波長を選択するように動作可能な波長選択ユニットを有するシステム。
（付記６）
付記５に記載のシステムであって、
少なくとも１つの波長選択ユニットが、前記第１と第２の光リングネットワークの間で通信するために、光トラヒックの第１の数の波長を通過するための第１の数のチューナブル・フィルタからなるチューナブル・フィルタ列を有するシステム。
（付記７）
付記５に記載のシステムであって、
少なくとも１つの波長選択ユニットが、前記第１と第２の光リングネットワークの間で通信するために、光トラヒックの第２の数の波長を選択的に転送するための第２の数のスイッチを有するシステム。
（付記８）
付記１に記載のシステムであって、
前記第１のRICノードが前記第１のRICノードの故障により通信を実行することができないときに、前記第２のRICノードが前記第１と第２の光リングネットワークの間で光トラヒックを通信するように動作可能であるシステム。
（付記９）
付記１に記載のシステムであって、
前記第１のRICノードが前記第１の光リングネットワークのファイバ切断により通信を実行することができないときに、前記第２のRICノードが前記第１と第２の光リングネットワークの間で光トラヒックを通信するように動作可能であるシステム。
（付記１０）
付記１に記載のシステムであって、
前記第２のRICノードが、１つ以上の波長のトラヒックを検出し、前記第１のRICノードが前記第１と第２の光リングネットワークの間で光トラヒックを通信することができないときを判断するように動作可能である拒絶ブロックを有するシステム。
（付記１１）
リングネットワーク間で光トラヒックを通信するための方法であって、
第１の光リングと第２の光リングを通じて複数の波長からなる光トラヒックを通信するステップと、
第１のリング相互接続（RIC）ノードにて前記第１と第２の光リングネットワークの間で光トラヒックを通信するステップと、
前記第１のRICノードが前記第１と第２の光リングネットワークの間で光トラヒックを通信できないときに、第２のRICノードにて前記第１と第２の光リングネットワークの間で光トラヒックを通信するステップと
を有する方法。
（付記１２）
付記１１に記載の方法であって、
前記第１のRICノードが前記第１と第２の光リングネットワークの間で光トラヒックを通信できないときを判断するステップを更に有する方法。
（付記１３）
付記１１に記載の方法であって、
前記第１のRICノードで前記第１の光リングネットワークから光トラヒックを受信するステップと、
前記第１の光リング方向に前記第１のRICノードで前記光トラヒックの第１のコピーを受動的に通過するステップと、
前記第１のRICノードで前記光トラヒックの第２のコピーをドロップするステップと、
前記第１のRICノードで前記ドロップされた光トラヒックの１つ以上の波長を選択するステップと、
前記第１のRICノードで前記１つ以上の波長を前記第２の光リングネットワークに通信するステップと
を更に有する方法。
（付記１４）
付記１３に記載の方法であって、
前記第１のRICノードが前記第２のRICノードにて前記第１と第２の光リングネットワークの間で光トラヒックを通信できないときを判断するステップと、
前記第２のRICノードで前記第１のRICノードから前記光トラヒックの前記第１のコピーを受信するステップと、
前記第１の光リング方向に前記第２のRICノードで前記光トラヒックの第３のコピーを受動的に通過するステップと、
前記第２のRICノードで前記光トラヒックの第４のコピーをドロップするステップと、
前記第２のRICノードで前記ドロップされた光トラヒックの１つ以上の波長を選択するステップと、
前記第１のRICノードが前記第１と第２の光リングネットワークの間で光トラヒックを通信できないときに、前記第２のRICノードで前記１つ以上の波長を前記第２の光リングネットワークに通信するステップと
を更に有する方法。
（付記１５）
付記１１に記載の方法であって、
前記第１のRICノードの波長選択ユニットにて前記第１と第２の光リングネットワークの間で通信するために、光トラヒックの１つ以上の波長を選択するステップを更に有する方法。
（付記１６）
付記１５に記載の方法であって、
前記波長選択ユニットのチューナブル・フィルタ列にて前記第１と第２の光リングネットワークの間で通信するために、光トラヒックの第１の数の波長をフィルタリングするステップを更に有する方法。
（付記１７）
付記１５に記載の方法であって、
前記波長選択ユニットの第２の数のスイッチにて前記第１と第２の光リングネットワークの間で通信するために、光トラヒックの第２の数の波長を選択的に転送するステップを更に有する方法。
（付記１８）
付記１１に記載の方法であって、
前記第１のRICノードが前記第１と第２の光リングネットワークの間で光トラヒックを通信できないときに、第２のRICノードにて前記第１と第２の光リングネットワークの間で光トラヒックを通信することが、前記第１のRICノードが前記第１のRICノードの故障により通信を実行することができないときに、第２のRICノードにて前記第１と第２の光リングネットワークの間で光トラヒックを通信することからなる方法。
（付記１９）
付記１１に記載の方法であって、
前記第１のRICノードが前記第１と第２の光リングネットワークの間で光トラヒックを通信できないときに、第２のRICノードにて前記第１と第２の光リングネットワークの間で光トラヒックを通信することが、前記第１のRICノードが前記第１の光リングネットワークのファイバ切断により通信を実行することができないときに、第２のRICノードにて前記第１と第２の光リングネットワークの間で光トラヒックを通信することからなる方法。
（付記２０）
付記１１に記載の方法であって、
拒絶ブロックで１つ以上の波長のトラヒックを検出し、前記第１のRICノードが前記第１と第２の光リングネットワークの間で光トラヒックを通信することができないときを判断するステップを更に有する方法。
【図面の簡単な説明】
【００７６】
【図１】本発明の１つの実施例による光リングネットワーク相互接続のためのシステムを示したものである。
【図２】本発明の実施例によるリング相互接続ノードの構成要素を示した光リングネットワーク相互接続のためのシステムを示したものである。
【図３Ａ】本発明の実施例による光リングネットワーク間でトラヒックを通信するための異なる形式の波長選択ユニットを備えたリング相互接続ノードを示したものである。
【図３Ｂ】本発明の実施例による光リングネットワーク間でトラヒックを通信するための異なる形式の波長選択ユニットを備えたリング相互接続ノードを示したものである。
【図４Ａ】本発明の実施例による特定の形式の波長選択ユニットを示したものである。
【図４Ｂ】本発明の実施例による特定の形式の波長選択ユニットを示したものである。
【図４Ｃ】本発明の実施例による特定の形式の波長選択ユニットを示したものである。
【図４Ｄ】本発明の実施例による特定の形式の波長選択ユニットを示したものである。
【図４Ｅ】本発明の実施例による特定の形式の波長選択ユニットを示したものである。
【図５Ａ】本発明の他の実施例による更なる形式の波長選択ユニットを示したものである。
【図５Ｂ】本発明の他の実施例による更なる形式の波長選択ユニットを示したものである。
【図６Ａ】本発明の更に別の実施例による波長選択スイッチを有する他の形式の波長選択ユニットを示したものである。
【図６Ｂ】本発明の更に別の実施例による波長選択スイッチを有する他の形式の波長選択ユニットを示したものである。
【図７Ａ】本発明の更なる実施例による波長ブロッカーを有する他の形式の波長選択ユニットを示したものである。
【図７Ｂ】本発明の更なる実施例による波長ブロッカーを有する他の形式の波長選択ユニットを示したものである。
【図８Ａ】本発明の特定の実施例によるリング相互接続ノードのプロテクションを利用する、１つの光リングネットワークから他のものにトラヒックを通信するためのシステムを示したものである。
【図８Ｂ】本発明の特定の実施例によるリング相互接続ノードのプロテクションを利用する、１つの光リングネットワークから他のものにトラヒックを通信するためのシステムを示したものである。
【図９】本発明の特定の実施例で使用されることがある拒絶ブロックを示したものである。
【図１０】本発明の実施例によるリング相互接続ノードのプロテクションを利用した、発信ノードから宛先ノードにトラヒックを通信するためのシステムを示したものである。
【図１１】本発明の他の実施例によるリング相互接続ノードのプロテクションを利用する、発信ノードから宛先ノードにトラヒックを通信するためのシステムを示したものである。
【図１２】本発明の実施例によるリングネットワーク間で光トラヒックを通信するための方法を示したフローチャートである。
【符号の説明】
【００７７】
１０  光ネットワークシステム
１２、１４  光リングネットワーク
１３、１５、１７、１９  ファイバ又はリング
１８、２０  add/dropノード
２２、２６、２８  リング相互接続ノード
２３、２４  光ファイバリング
２５  光リング相互接続用システム
３０ａ、３０ｂ、３０ｃ、３０ｄ  光カプラー
３２  １×Ｎ光カプラー
３４、４０  チューナブル・フィルタ列
３６、４１  変換モジュール
３８  Ｎ×１光カプラー
３９  １×Ｍ光カプラー
４２  Ｍ×１光カプラー
４４、４６  拒絶ブロック
５０  リング相互接続ノード
５２、５４  光リングネットワーク
５３、５５、５７、５９  リング
５６ａ、５６ｂ、５６ｃ、５６ｄ、５６ｅ、５６ｆ、５６ｇ、５６ｈ  光カプラー
５８ａ、５８ｂ、５８ｃ、５８ｄ  波長選択ユニット
６０  波長選択ユニット
６２ａ、６２ｂ、６２ｃ  １×２光カプラー
６４ａ、６４ｂ  チューナブル・フィルタ列
６６  トランスポンダ
６８ａ、６８ｂ、６８ｃ  ２×１光カプラー
７０  波長選択ユニット
７２  帯域逆多重化装置
７４  １×２光カプラー
７６  チューナブル・フィルタ列
７８  トランスポンダ
８０  スイッチ
８２  増幅器
８４  ２×１光カプラー
８６  帯域多重化装置
９０  波長選択ユニット
９２  帯域選択スイッチ
９４  １×２光カプラー
９５  増幅器
９６  チューナブル・フィルタ列
９７  トランスポンダ
９８、９９  ２×１光カプラー
１０２、１０４  光リングネットワーク
１０３、１０５、１０７、１０９  リング
１１０、１１２  リング相互接続ノード
１１４ａ、１１４ｂ、１１４ｃ、１１４ｄ、１１６ａ、１１６ｂ、１１６ｃ、１１６ｄ  光カプラー
１１８ａ、１１８ｂ、１２０ａ、１２０ｂ  波長選択ユニット
１２２ａ、１２２ｂ、１２４ａ、１２４ｂ  拒絶ブロック
１４２  逆多重化装置
１４４ａ、１４４ｂ、１４４ｃ、１４４ｄ  カプラー
１４６  スイッチ
１４８  可変光減衰器
１４９  可変光減衰器制御
１５０ａ、１５０ｂ、１５０ｃ、１５０ｄ  カプラー
１５２  多重化装置
１５４、１５５  光検出器
１５６  波長選択制御
【図１】
2005051774.tif 000003
【図２】
2005051774.tif 000004
【図３Ａ】
2005051774.tif 000005
【図３Ｂ】
2005051774.tif 000006
【図４Ａ】
2005051774.tif 000007
【図４Ｂ】
2005051774.tif 000008
【図４Ｃ】
2005051774.tif 000009
【図４Ｄ】
2005051774.tif 000010
【図４Ｅ】
2005051774.tif 000011
【図５Ａ】
2005051774.tif 000012
【図５Ｂ】
2005051774.tif 000013
【図６Ａ】
2005051774.tif 000014
【図６Ｂ】
2005051774.tif 000015
【図７Ａ】
2005051774.tif 000016
【図７Ｂ】
2005051774.tif 000017
【図８Ａ】
2005051774.tif 000018
【図８Ｂ】
2005051774.tif 000019
【図９】
2005051774.tif 000020
【図１０】
2005051774.tif 000021
【図１１】
2005051774.tif 000022
【図１２】
2005051774.tif 000023